(57)【特許請求の範囲】
【請求項１】
ウオーターサーバーの湯水栓と冷水栓の間に取り付ける混合栓本体の下部に吐水筒を設け、両側に湯水栓連結部と冷水栓連結部を設けると共に、中央筒に湯水と冷水を混合する切替バルブを設け、中央筒の側面に湯水流入口と冷水流入口を設け、この湯水流入口と冷水流入口とに対応すべく、切替バルブに湯水通口と冷水通口を設け、湯水通口及び冷水通口が、湯水通孔及び冷水通孔を穿設し、周囲を閉鎖する閉鎖溝を設け、切替バルブのバルブ本体内に連通口を設け、切替バルブの湯水通口と冷水通口の角度を水平軸心に対して４０°から５０°とし、切替バルブを上下動すべく吐水操作レバーを設け、切替バルブの角度により、ぬるま湯の温度を調整できる混合吐水栓であって、吐水操作レバーを後方へ押し上げることにより切替バルブを上昇させる構造を設け、更に、切替バルブの左右の角度を変更するための切替バルブ一体となる吐水選択キーを形設した支持軸と、この吐水選択キーに嵌合する湯・冷・混の吐水選択ダイヤルを設けると共に、吐水選択ダイヤルによる左右の回転動作に対して連動せず、吐水操作レバーによる上下動作時において、切替バルブ一体の吐水選択キーを形設した支持軸とは連動する自在金具を有する連動支持軸を切替バルブ一体の吐水選択キーを形設した支持軸の先端に取付け連結させ、吐水操作レバーに接続させる構造を設け、切替バルブの左右いずれの角度変更において吐水操作を行った場合、吐水操作時のコップが押し当てる吐水操作レバーの操作板は常に正面から真後ろへの動作を保つことができる連動支持軸を設けてなることを特徴とする混合吐水栓。
【請求項２】
中央筒の両側に設けてある湯水栓連結部と冷水栓連結部に左右にスライドする伸縮型連結脚部を設けてなることを特徴とする請求項１記載の混合吐水栓。
【発明の詳細な説明】
【技術分野】
【０００１】  本発明は、ウオーターサーバーの湯水栓及び冷水栓に連結してぬるま湯を作るための混合吐水栓に関するものである。【０００２】  従来の技術として、ディスペンサー本体の上部に所定容量の飲料水を収容した飲料水供給容器を載置する容器載置部と、その下部に冷水タンクを収容する冷水タンク設置部と、冷水タンク設置部の下部に温水タンクを設置する温水タンク設置部とを備え、ディスペンサー本体側面に冷水タンク及び温水タンクから冷水又は温水を抽出する冷水・温水抽出部を設けた飲料水ディスペンサーにおいて、前記冷水タンク設置部に、冷水タンク内の飲料水を冷却させる冷却機構を設置すると共に温水タンクへの給水管を配設し、前記温水タンクを電磁誘導加熱に対応する金属材料により形成すると共に、前記温水タンク設置部に前記温水タンクを誘導加熱する電磁誘導加熱装置を設置したことを特徴とする飲料水ディスペンサーがある。（特許文献１参照）【０００３】  また、別の従来技術として、飲料水容器を接続手段を介して配管系統に接続して飲料水を供給するディスペンサーであって、前記配管系統中に飲料水を貯留するタンクを備え、該貯留タンクが、冷却装置を有する冷水タンクと加熱装置を有する温水タンクとから成り、かつ、前記飲料水容器を冷却する装置を有する飲料水のディスペンサーにおいて、前記冷水タンクを飲料水容器の下方に配置し、さらに、温水タンクを冷水タンクの下方に配置して、前記接続手段を介在させて温水タンクと冷水タンクを連通した第１の配管の接続手段と温水タンクの途中に温水ポンプを配設するとともに、冷水タンクと温水タンクの下部を開閉弁を介在させた第２の配管で連通し、前記開閉弁を閉塞して、冷水タンクから冷水を、温水タンクから温水を供給し、前記開閉弁を開放し、前記温水ポンプを駆動して温水タンクの温水を前記第１の配管から冷水タンク、第２の配管、温水タンクへと循環させることにより、配管系統内の殺菌を可能にしたことを特徴とする飲料水のディスペンサーがある。（特許文献２参照）
【先行技術文献】
【特許文献】
【０００４】
【特許文献１】特開２００９−２４９０３３号公報（図１参照）
【特許文献２】特開２００６−１９９３５２号公報（図１参照）
【発明の概要】
【発明が解決しようとする課題】
【０００５】  上記前者及び後者とも、温水と冷水が別々の独立した抽出バルブにて抽出している。
よって、例えば、薬を飲むときに必要なぬるま湯を作ろうとすれば、一方の抽出バルブから冷水をコップ内に入れ、他方の抽出バルブから温水をコップに入れてぬるま湯を作っているのが現状で、面倒であり、望む温度のぬるま湯が作れない。【０００６】  本発明は、このような従来の構成が有していた問題を解決しようとするものであり、ウオーターサーバーの温水栓と冷水栓の間に取り付けるもので、切換バルブにより、簡単にぬるま湯を作ることができる。また、切換バルブの角度によりぬるま湯の温度を自分の好みに調整できる。
さらに、温水・常温・冷水の調整を吐水選択ダイヤルによりでき、吐水選択ダイヤルに隣接する回転ストッパー付キャップ部に取付（着脱可能）されている安全具を設けることにより、子供があやまって熱湯を吐出することがない混合吐水栓を目的とする。
【課題を解決するための手段】
【０００７】  本発明は、上記目的を達成するために、ウオーターサーバーの湯水栓と冷水栓の間に取り付ける混合栓本体の下部に吐水筒を設け、両側に湯水栓連結部と冷水栓連結部を設けると共に、中央筒に湯水と冷水を混合する切換バルブを設け、中央筒の側面に湯水流入口と冷水流入口を設け、この湯水流入口と冷水流入口とに対応すべく、切換バルブに湯水通口と冷水通口を設け、湯水通口及び冷水通口が、湯水通孔及び冷水通孔を穿設し、切換バルブのバルブ本体内に連通孔を設け、切換バルブの湯水通口と冷水通口の角度を水平軸心に対して４０°から５０°とし、切換バルブを上下動すべく吐水操作レバーを設け、切換バルブの角度により、ぬるま湯の温度を調整できる混合吐水栓であって、吐水操作レバーを後方へ押し上げることにより切換バルブを上昇させる構造を設けてなること。切換バルブの支持軸の左右の回転動作に対して連動せず、しかも吐水操作レバーによる上下の動作に対しては切換バルブの支持軸を連動させることができる連動支持軸を設けてなること。切換バルブの回転角度の水平軸心に対して湯水側４５度、冷水側４５度で吐水操作レバーをストップさせることができる回転ストッパー付キャップを設けてなること。切換バルブの湯・冷・混合の吐水を選択するための吐水選択ダイヤルを設けてなること。中央筒の後ろ側に吐水操作レバーの自在な左右前後の動作防止するためのストッパー具を設けてなること中央筒の両側に設けてある湯水栓連結部と冷水栓連結部に左右にスライドする伸縮型連結脚部を設けてなること。乳幼児が吐水選択ダイヤルを湯側の高温域に容易に操作できないための安全具を設けてなること。切換バルブの支持軸（支持軸キー付一体型）に吐水操作レバーが連動する構造を設けることにより前後動型の吐水操作レバーから上下左右動型の吐水操作レバーへ変更できること。
【発明の効果】
【０００８】１）ウオーターサーバーの湯水栓と冷水栓の間に取り付けることができ、切換バルブにより簡単にぬるま湯を作ることができる。
２）切換バルブの温水通口と冷水通口とにより、温水・冷水を吐出（吐水）することができると共に、ぬるま湯を作ることができる。
３）温水通孔と冷水通孔と連通孔とにより一層効率的にぬるま湯（混合）を作ることが出来る。
４）切換バルブの角度により、お好みの温度のぬるま湯を作ることができる。
５）吐水操作レバーにより吐水と止水を簡単に行うことができる。
６）回転ストッパー付キャップにより、切換バルブ（支持軸）の角度を一定に固定できる。
７）吐水選択ダイヤルにより温水・常温（混合）・冷水を目印にて簡単に調整できる。
８）ストッパー部により吐水操作レバーの動作を一定位置に保持できる。
９）安全具により、特に子供があやまって熱湯（温水）を吐出（吐水）することがない。
１０）伸縮型連結脚部により温水栓の取付ニップルと冷水栓の取付ニップルのピッチの長短に合わせて取り付けることができる。（従来の各種ディスペンサーに取り付けられる）
【図面の簡単な説明】
【０００９】
【図１】  本発明の１実施例を示す混合吐水栓の全体構成図。
【図２】  本発明の１実施例を示す混合吐水栓の斜視図。
【図３】  本発明の１実施例を示す混合吐水栓の支持軸の斜視図。
【図４】  本発明の１実施例を示す混合吐水栓の吐水操作レバー作動図。
【図５】  本発明の１実施例を示す混合吐水栓の切換バルブと吐水操作レバーの止水状態の構成図。
【図６】  本発明の１実施例を示す混合吐水栓の切換バルブの止水状態の正面図。
【図７】  本発明の１実施例を示す混合吐水栓の吐水操作レバーの止水状態の側面図。
【図８】  本発明の１実施例を示す混合吐水栓の切換バルブの止水状態の右側面図。（冷水側）
【図９】  本発明の１実施例を示す混合吐水栓の切換バルブの止水状態の左側面図。（温水側）
【図１０】  本発明の１実施例を示す混合吐水栓の切換バルブと吐水操作レバーの吐水状態の作動図。
【図１１】  本発明の１実施例を示す混合吐水栓の切換バルブの角度０の混合吐水状態の正面図。（混合水１００％吐水）
【図１２】  本発明の１実施例を示す混合吐水栓の切換バルブの角度０の冷水吐水状態の右側面図。（冷水５０％吐水）
【図１３】  本発明の１実施例を示す混合吐水栓の切換バルブの角度０の湯水吐水状態の左側面図。（湯水５０％吐水）
【図１４】  本発明の１実施例を示す混合吐水栓の吐水選択ダイヤルの右角度４５°とキーストッパーの作動図。
【図１５】  本発明の１実施例を示す混合吐水栓の吐水選択ダイヤルの右角度４５°の冷水吐水状態の右側面図。（冷水１００％吐水）
【図１６】  本発明の１実施例を示す混合吐水栓の吐水選択ダイヤルの右角度４５°の湯水止水（閉鎖）状態の左側面図。（０％吐水）
【図１７】  本発明の１実施例を示す混合吐水栓の吐水選択ダイヤルの左角度４５°とキーストッパーの作動図。
【図１８】  本発明の１実施例を示す混合吐水栓の吐水選択ダイヤルの左角度４５°の温水吐水状態の左側面図。（湯水１００％吐水）
【図１９】  本発明の１実施例を示す混合吐水栓の吐水選択ダイヤルの左角度４５°の冷水止水（閉鎖）状態の右側面図。（０％吐水）
【図２０】  本発明の１実施例を示す混合吐水栓の湯水栓連結部と冷水栓連結部の伸縮型連結脚部との構成図。
【図２１】  本発明の１実施例を示す混合吐水栓の湯水栓連結部と冷水栓連結部の伸縮型連結脚部との状態図。
【図２２】  本発明の１実施例を示す混合吐水栓の吐水操作レバーの左右と後方の動作を制御するストッパー部の取り付け状態図。
【図２３】  本発明の１実施例を示す混合吐水栓の吐水操作レバーに設けた安全具の動作図。
【図２４】  他の実施例を示す要部の構成図。
【図２５】  従来のウオーターサーバーの構成図。
【発明を実施するための形態】
【００１０】  １は、ウオーターサーバーＷＳの湯水栓ＯＳ（取付ニップル）と冷水栓ＲＳ（取付ニップル）の間に取り付ける混合吐水栓である。（図２５）
２は、下部に吐水筒２ａを設け、両側の後端に冷水流入口２ｄ２の伸縮型連結脚部２ｃ１を設けた冷水栓連結部２ｃと湯水流入口２ｄ１の伸縮型連結脚部２ｂ１を設けた湯水栓連結部２ｂを設けるとともに、中央筒２ｄ内の側面に湯水流入口２ｄ１と冷水流入口２ｄ２を設けた湯冷混合栓本体である。なお、伸縮型連結脚部２ｃ１は取付ニップルＲＳに取り付ける取付ナット２ｃ５と冷水栓連結部２ｃに連結する連結ナット２ｃ４を設け、溝２ｃ１ａに対応する止水リング２ｃ２・２ｃ３を設けてある。（ＯリングＯＲ付）また、伸縮型連結脚部２ｂ１は、取り付けニップルＯＳに取り付ける取付ナット２ｂ５と湯水栓連結部２ｂに連結する連結ナット２ｂ４を設け、溝２ｂ１ａに対応する止水リング２ｂ２・２ｂ３を設けてある。（ＯリングＯＲ付）
３は、湯・冷・混合を吐水選択キー（切換バルブの左右回転ストッパーの役割を兼ねる）３ｂ１を形設した支持軸３ｂと後述する吐水操作レバーを取り付ける穴３ｃ２、及び支持軸３ｂの左右の回転動作に連動させないための自在金具３ｃ１を有する連動支持軸３ｃとからなる切替バルブで、バルブ本体３ａの前面左右に、上記湯水流入口２ｄ１と冷水流入口２ｂ２に対応する湯水通孔３ａ１ａを穿設し、周囲に湯水通口３ａ１を設ける共に、冷水通孔３ａ２ａを穿設し、周囲に冷水通口３ａ２を設け、切替バルブ３ａ内に連通する連通孔３ａ３を設けてなるものである。また、Ｏリング３ｄを設けてある。尚、通常湯水流入口２ｄ１と冷水流入口２ｄ２の下方に湯水通口３ａ１と冷水通口３ａ２が位置してある。
４は、座金４ｄとスプリング４ｃと切換バルブ３のキーストッパー部４ｂ１・４ｂ２を形設した回転ストッパー付きキャップ４ｂ並びに支持軸３ｂに取付けられた吐水選択キー３ｂ１と選択ダイヤル溝４ａ１が勘合される吐水選択ダイヤル４ａとからなる切替バルブ支持具である。
なお、回転ストッパー付キャップ４ｂは、中央筒２ｄの上部に固着されている。
５は、吐水操作レバーで、上記支持軸３ｃの取付穴３ｃ２と吐水操作板５ａの取付穴５ｂに取付ピン５ｃを挿入することで切換バルブ３と吐水操作レバー５を連動させて吐水操作板５ａを後方へ押し上げて吐水させるものである。（図１〜図４）
【００１１】  上記混合吐水栓１の使用例（作動例）について説明する。
通常、吐水操作レバー５は前方に位置しており連動しているバルブ本体３ａは下方へ下がった位置にある。この時吐水選択ダイヤル４ａの位置が中央及び右４０°から５０°、左４０°から５０°の位置においても切換バルブ３は下方に位置しており、湯水流入口２ｄ１と湯水通口３ａ１、冷水流入口２ｄ２と冷水通口３ａ２は連通していないため止水状態である。（図５〜図９）
【００１２】  つぎに、吐水選択ダイヤル４ａは中央の位置で、吐水操作レバー５（５ａ）を後方へ押し上げることにより、切換バルブ３（支持軸３ｂと連動支持軸３ｃは上下動作に対しては連動する）を上昇させる。
この時、湯水流入口２ｄ１と湯水通口３ａ１、冷水流入口２ｄ２と冷水通口３ａ２はそれぞれ約５０％づつの湯水Ｏと冷水Ｒが混合したぬるま湯Ｎを吐出させるものである。（図１０〜図１３）
【００１３】  上記と同様に吐水選択ダイヤル４ａを右４５°回転させると共に、吐水操作レバー５を後方へ押し上げることにより、冷水流入口２ｄ２と冷水通口３ａ２は約８０％連通し、湯水流入口２ｄ１と湯水通口３ａ１は完全に塞がれており（０％吐水）、結果冷水Ｒ１のみが吐水するものである。（図１４〜図１６）
【００１４】  上記と同様に吐水選択ダイヤル４ａを左４５°回転させると共に、吐水操作レバー５を後方へ押し上げることにより、湯水流入口２ｄ１と湯水通口３ａ１は約８０％連通し、冷水流入口２ｄ２と冷水通口３ａ２は完全に塞がれており（０％吐水）、結果温水Ｏ１のみが吐水するものである。（図１７〜図１９）
【００１５】  なお混合吐水栓１は、一般に市販されているウオーターサーバーＷＳの湯水栓ＯＳ（取り付けニップル）と冷水栓ＲＳ（取り付けニップル）間に取り付けるもので、冷水側（湯水側）の凹溝２ｃ１ａ付（２ｂ１ａ付）の伸縮型連結脚部２ｃ１（伸縮型連結脚部２ｂ１）の上端に冷水側（温水側）の凸溝付き冷水栓連結部２ｃ（温水栓連結部２ｂ）と勘合して連結する連結ナット２ｃ４（連結ナット２ｂ４）及び連結部の水密を保つためのゴムパッキンによる止水リング２ｃ２（ゴムパッキンによる止水リング２ｂ２）、ナイロンシートによる止水リング２ｃ３（ナイロンシートによる２ｂ３）を設けると共に、下端に冷水栓ＲＳ（取り付けニップルＴＮ）＜温水栓ＯＳ（取付ニップルＴＮ）＞と連結する取付ナット２ｃ５（取付ナット２ｂ５）を設けてなり伸縮型連結部脚部２ｃ１（伸縮型連結脚部２ｂ１）にて取り付ける。また引き延ばし限界線２ｃ６（限界線２ｂ６）まで引き延ばして取り付けができ各ウオーターサーバーの冷水栓ＲＳ（取り付けニップル）と湯水栓ＯＳ（取り付けニップル）の芯芯に合わせて取り付けることができ、もし最大に引き延ばしても対応できない場合に備えて、長寸の取り替え用の伸縮型連結脚部（図示せず）を使用することも一考である。
なお、必要に応じてパッキンＯＲにて止水する。（図２０、２１と図２５）
【００１６】  吐水操作レバー５は切換バルブ３の連動支持軸３ｃの自在金具３ｃ１によって自由に稼動できるが、その反面コップなどを吐水板に後方へ押し当てて吐出させるときに左右に移動してしまうことがある。この動きを制御するのが中央筒２ｄの後ろ側に設けたストッパー具６である。冷水側に取り付けられたストッパー６ａは湯水側へ動きを制御する湯水側ストッパー６ａ２と吐水板５ａの奥行きの動きを制限する奥行ストッパー６ａ１が設けられている。また、湯水側に取り付けられたストッパー６ｂは冷水側への動きを制御する冷水側ストッパー６ｂ２と吐水板５ａの奥行きの動きを制限する奥行ストッパー６ｂ１が設けられているものである。（図２２）
【００１７】  なお、吐出選択ダイヤル４ａを操作する操作つまみ４ａ２が湯水側の高温域をセッティングすることに対応する戻しスプリング（図示せず）を内設した上下動する係止片７ａとからなる安全具７を設けてあり、通常は、冷水や常温（ぬるま）域では係止片７ａに接触することなく吐水できるが、湯水側の高温域にセッティングする場合は全て係止片７ａを押し下げてその上方を操作つまみ４ａ２を通過させるものである。
また、安全具７は回転ストッパー付キャップ４ｂに着脱式になっており取り外しも可能である。（図２３）
【００１８】  吐水操作レバー５は吐水・止水を前後の作動で行い湯水・冷水・混合の選択は吐水選択ダイヤル４ａで行っているが、これを切替バルブ（支持軸キー付き一体型）９に、Ｏリング３ｄ・座金４ｄ・スプリング４ｃ・回転ストッパー付きキャップ４ｂの支持具４で構成するものを、前回（特願２０１０−１２７２７８号）のような吐水操作レバー（上下左右動型）に取り付けることによって、吐水・止水の操作と吐水の選択を一本のレバーで行い、しかも止水時はレバーが中折れ状態になっており乳幼児が簡単に吐出が出来ないものに変更することが可能である。（図４、図１４、図１７、図２４）
【００１９】上記実施例において、湯水流入口や湯水通孔と冷水流入口や冷水通孔の大きさ及び湯水通口や冷水通口または連通孔の大きさは、必要に応じて決めればよく、各吐水量（吐出量）も特に限定するものではない。
【符号の説明】
【００２０】  １―――混合吐水栓
２―――湯冷混合栓本体
３―――切換バルブ（自在金具付分割連動型）
４―――切換バルブ支持具
５―――吐水操作レバー（前後動型）
６―――ストッパー具
７―――安全具
８―――吐水操作レバー（上下左右動型）
９―――切替バルブ（支持軸キー付一体型）
ＷＳ―――ウオーターサーバー
ＯＳ―――温水栓
ＲＳ―――冷水栓
ＴＮ―――取付ニップル
【図１】
0005598445.tif 000002
【図２】
0005598445.tif 000003
【図３】
0005598445.tif 000004
【図４】
0005598445.tif 000005
【図５】
0005598445.tif 000006
【図６】
0005598445.tif 000007
【図７】
0005598445.tif 000008
【図８】
0005598445.tif 000009
【図９】
0005598445.tif 000010
【図１０】
0005598445.tif 000011
【図１１】
0005598445.tif 000012
【図１２】
0005598445.tif 000013
【図１３】
0005598445.tif 000014
【図１４】
0005598445.tif 000015
【図１５】
0005598445.tif 000016
【図１６】
0005598445.tif 000017
【図１７】
0005598445.tif 000018
【図１８】
0005598445.tif 000019
【図１９】
0005598445.tif 000020
【図２０】
0005598445.tif 000021
【図２１】
0005598445.tif 000022
【図２２】
0005598445.tif 000023
【図２３】
0005598445.tif 000024
【図２４】
0005598445.tif 000025
【図２５】
0005598445.tif 000026